(57)【要約】      （修正有）【課題】足関節背屈時の前方部痛などの足関節障害の改善や予防に有効であった足首への最適なテーピング形態を、足首に装着するだけで容易に再現することができる、新規な足首用サポータを提供する。【解決手段】本発明の足首用サポータは、伸縮可能な弾性ゴム質シートの外表面に面状ファスナ結合性繊維層１ｂを設けた基材からなる帯状のサポータ本体１に、その長さに沿った略中央部分に踝の一方側下端からアキレス腱部後面又は足底面を経て同じく踝の他方側下端に至る長さまで伸長可能な幅分割用裂け目１ｄを設けたうえ、該サポータ本体の頭尾両端には裏側に向かう細幅の面状ファスナ体をそれぞれ延設し、更にサポータ本体頭部の面状ファスナ体２の基端より退いた位置にサポータ本体尾部の面状ファスナ体３が挿通自在な挿通孔１ｇを設けてなることを特徴とする。【選択図】図１
2010144287.tif 000002
【特許請求の範囲】
【請求項１】
伸縮可能な弾性ゴム質シートの外表面に面状ファスナ結合性繊維層を設けた基材からなる帯状のサポータ本体に、その長さに沿った略中央部分に踝の一方側下端からアキレス腱部後面又は足底面を経て同じく踝の他方側下端に至る長さまで伸長可能な幅分割用裂け目を設けたうえ、該サポータ本体の頭尾両端には裏側に向かう細幅の面状ファスナ体をそれぞれ延設し、更にサポータ本体頭部の面状ファスナ体の基端より退いた位置にサポータ本体尾部の面状ファスナ体が挿通自在な挿通孔を設けてなることを特徴とする、足首用サポータ。
【請求項２】
前記サポータ本体の裏面に面状ファスナ非結合性布帛層を設けてなる、請求項１に記載の足首用サポータ。
【発明の詳細な説明】
【技術分野】
【０００１】
本発明は、足関節、即ち下腿を支える脛骨と腓骨とを、足根骨、特に距骨で支える距腿関節の、不安定性に基づいて発生する各種の障害を治療し、或いは予防するために装用する、足首用サポータに関するものである。
【背景技術】
【０００２】
従来から、足関節にかかる負荷を緩和するなどのために、足首にサポータを装着することは公知であり、これまで種々のサポータが提案されている。しかし、従来のサポータや足関節用装具は、足関節の不安定性に基づく捻挫による障害などの発生を予防するためのもので、足関節の側方不安定性に対して、関節の周方向にかかる捻じり力を制限するため側方から動揺を止めるように設計されたもの、あるいは足首を保温するためのものなどが殆どであった。そして足関節の前方不安定性の改善に有効な装具の提案はこれまで見当たらず、たとえば足関節用サポータに関する参考用の技術文献としては、次の文献しか発見できなかった。
【特許文献１】特開2001-346824号公報
【特許文献２】特開2001-29372号公報
【特許文献３】特開2008-212630号公報
【０００３】
そこで本発明者は、足関節内反捻挫後の足関節背屈時の前方部痛の原因について調査を進めた結果、足関節の前方不安定性による足関節の運動障害にあるのではないかと考えるに至り、足関節にテーピングを施すことで足関節前方不安定性の改善を試みたところ、足関節背屈時の前方部痛が解消され、歩行立脚後期や段差降段時の疼痛軽減に効果があることを見出した。
【発明の開示】
【発明が解決しようとする課題】
【０００４】
本発明は、上記のような足関節障害の改善や予防に有効であった最適なテーピング形態を、足首に装着するだけで容易に再現することができる、新規な足首用サポータを提供しようとするものである。
【課題を解決するための手段】
【０００５】
本発明の足首用サポータは、伸縮可能な弾性ゴム質シートの外表面に面状ファスナ結合性繊維層を設けた基材からなる帯状のサポータ本体に、その長さに沿った略中央部分に踝の一方側下端からアキレス腱部後面又は足底面を経て同じく踝の他方側下端に至る長さまで伸長可能な幅分割用裂け目を設けたうえ、該サポータ本体の頭尾両端には裏側に向かう細幅の面状ファスナ体をそれぞれ延設し、更にサポータ本体頭部の面状ファスナ体の基端より退いた位置にサポータ本体尾部の面状ファスナ体が挿通自在な挿通孔を設けてなることを特徴とする。
【０００６】
前記の本発明の足首用サポータは、前記サポータ本体の裏面に面状ファスナ非結合性布帛層を設けてなることで、装着が特に容易であり、且つ装用感も快適である。
【発明の効果】
【０００７】
本発明の足首用サポータは、足首部に正しく装用することで、足関節、即ち距腿関節の前方不安定性による機能障害を改善して、歩行時の足関節前方部痛を軽減させる効果が現れるほか、足関節痛は勿論のこと、足関節の機能と関連を有する膝関節などの機能障害も、改善できる効果が期待できる。
【発明を実施するための最良の形態】
【０００８】
以下、本発明の足首用サポータの構成および機能を、図に基づいて説明する。
図１は、本発明の足首用サポータの例の外観を示す斜視図であるが、図における１は、伸縮可能な弾性ゴム質シート１aの外側に当たる表面に、面状ファスナと結合できる繊維層１b、例えばポリアミド糸を用いたパイル布などが設けてあり、その一方で内側に当たる裏面には、面状ファスナが結合できない布帛層１c、例えばポリアミド糸を用いた編布などが設けてなる、伸縮可能な帯状のサポータ本体である。そして、このサポータ本体１の略中央部分には、帯の幅を左右半分に切り分ける幅分割用裂け目１dが、帯の長さに沿って設けてある。この幅分割用裂け目１dは、サポータ本体１を引き伸ばすときに、分割部１e及び分割部１fと共に引き伸ばされることになるが、分割部１eと分割部１fとを引き離すときは、それぞれを別々に引き伸ばすことができる。
【０００９】
そして又、このような帯状のサポータ本体１の頭部１2と尾部１3には、それぞれ幅の狭い舌状の面状ファスナ２と３が、それぞれ結合機能面２a、３aを裏方に向けて延設されており、更にサポータ本体１の頭部１2の面状ファスナ２の基端より退いた位置に、尾部１3の面状ファスナ３をサポータ本体１の裏側から表側に向かって、先端から挿通させることができるような挿通孔１gが設けてある。
【００１０】
なお、このような本発明の足首用サポータは、サポータ本体１の幅や長さ等の寸法を、装用者の体格に合わせて選ぶことが望ましく、更にサポータ本体１の厚さや弾性ゴム質シートの引き伸ばし弾性の強さなどを、装用者の筋力を考慮して調整することが、装用の容易さと装用感の快適さとを含む装用効果の増大に繋がることを理解されたい。
【００１１】
上記のように構成された本発明の足首用サポータを、例えば右足の足首に装着する場合について、図２乃至図４によって説明する。
先ず図２に示すように、本発明の足首用サポータの頭部１2を足表面の上に置いて、足首に左回りに巻き付け始め、幅分割用裂け目１dの前端を、右足の踝の内側下端付近に位置させる。次いで幅分割用裂け目１dによって形成された分割部１eと分割部１fの、上方に位置する分割部１eをアキレス腱部の後面に回して、踝の外側下端に至るまで伸ばしながら巻きつけ、それと同時に下方に位置する分割部１fを下向きに曲げ、足底面を経て同じく踝の外側下端に至るよう伸ばすと、踵の上方を回って伸びてきた分割部１eと踵前方の足底を回ってきた分割部１fとが、幅分割用裂け目１dの終了位置で合体して尾部１3となり、足表面の上で頭部１2と交差する形態となる。
【００１２】
そこで図３に示すように、尾部１3に設けた面状ファスナ３の先端を、頭部１2の挿通孔１gの下側から挿入すると、面状ファスナ３の結合機能面が頭部１2表面の繊維層１bと接触するので、幅分割用裂け目１dの前端と後端とが、それぞれ踝の内側位置と外側位置とに対応していることを確認して、面状ファスナ３の結合機能面を頭部１2表面の繊維層１bに押し付け、これらを結合させる。次いで図４に示すように、更に面状ファスナ２の結合機能面と尾部１3表面の繊維層１bとを同様に結合させて、本発明の足首用サポータの足首への装着が終わる。
【００１３】
上記のような手順で足首に装着された図５のような本発明の足首用サポータは、装用者の足関節背屈時に距腿関節内での距骨の後方移動を誘導することで、足関節前方不安定性を改善させ背屈可動域を増大させる。また、他動足関節背屈時の前脛骨筋の緊張を弱め、圧痛も軽減する効果が見られた。そして、歩行時における膝関節痛が軽減するばかりでなく、完全に疼痛が消失するという顕著な効果もあることが認められた。
【産業上の利用可能性】
【００１４】
本発明の足首用サポータは、足関節の機能障害を改善させるための装具として利用できるばかりでなく、足関節の機能と関連のある他関節にかかる機能障害の治療にも利用できる可能性があり、膝関節などにかかる変形性疾患などの予防などにも利用できるものと、期待される。
【図面の簡単な説明】
【００１５】
【図１】本発明の足首用サポータの例の構造を示す斜視図である。
【図２】図１の足首用サポータの足首装着開始状態の斜視図である。
【図３】図１の足首用サポータの挿通孔１gに面状ファスナ３を挿通した状態の斜視図である。
【図４】図１の足首用サポータの足首装着完了状態の斜視図である。
【図５】図１の足首用サポータの足首装用状態側の内側面図である。
【符号の説明】
【００１６】
１     サポータ本体
１a    弾性ゴム質シート
１b    繊維層
１c    布帛層
１d    幅分割用裂け目
１e    分割部
１f    分割部
１g    挿通孔
１2    頭部
１3    尾部
２     面状ファスナ
２a    結合機能面
３     面状ファスナ
３a    結合機能面
【図１】
2010144287.tif 000003
【図２】
2010144287.tif 000004
【図３】
2010144287.tif 000005
【図４】
2010144287.tif 000006
【図５】
2010144287.tif 000007